(57)【要約】【課題】縦撮り及び横撮りが混合する写真に基づいて見本プリントを作成する見本プリント作成システムにおいて、最大限の枚数を最大限の大きさでプリントしつつ、注文者に見易くすることによって注文忘れを防止することができる見本プリント作成システム及び見本プリント作成方法を提供することにある。【解決手段】撮影した写真の画像データを入力する画像データ入力手段１と、前記画像データ入力手段１で入力した画像データを縦撮り画像と横撮り画像のいずれかに振り分ける振分手段２と、前記振分手段２によって振り分けられた画像データに基づいて見本プリントを作成する見本プリント作成手段３とを有し、前記見本プリント作成手段３は、縦撮り画像の見本プリントと横撮り画像の見本プリントとを作成することを特徴とする見本プリント作成システム。【選択図】          図１
2004357256.tif 000002
【特許請求の範囲】
【請求項１】
撮影した写真の画像データを入力する画像データ入力手段と、
前記画像データ入力手段で入力した画像データを縦撮り画像と横撮り画像のいずれかに振り分ける振分手段と、
前記振分手段によって振り分けられた画像データに基づいて見本プリントを作成する見本プリント作成手段とを有し、
前記見本プリント作成手段は、縦撮り画像の見本プリントと横撮り画像の見本プリントとを作成することを特徴とする見本プリント作成システム。
【請求項２】
前記撮影した写真の天地を示す天地情報を入力する天地情報入力手段を有し、前記振分手段は、該天地情報入力手段によって入力された天地情報に基づいて画像データの縦撮り画像と横撮り画像との振り分けを行うことを特徴とする請求項１記載の見本プリント作成システム。
【請求項３】
前記画像データ入力手段は、デジタル化された写真を記録した記録媒体から画像データとして入力することを特徴とする請求項１又は２記載の見本プリント作成システム。
【請求項４】
前記画像データ入力手段は、写真フィルムをスキャナで読み込むことにより写真をデジタル化した画像データを入力することを特徴とする請求項１又は２記載の見本プリント作成システム。
【請求項５】
撮影した写真の画像データを入力する画像データ入力工程と、
前記画像データ入力工程で入力した画像データを縦撮り画像と横撮り画像のいずれかに振り分ける振分工程と、
前記振分工程において振り分けられた画像データに基づいて見本プリントを作成する見本プリント作成工程とを有し、
前記見本プリント作成工程では、縦撮り画像の見本プリントと横撮り画像の見本プリントとを作成することを特徴とする見本プリント作成方法。
【請求項６】
前記撮影した写真の天地を示す天地情報を入力する天地情報入力工程を有し、前記振分工程では、該天地情報入力工程において入力された天地情報に基づいて画像データの縦撮り画像と横撮り画像との振り分けを行うことを特徴とする請求項５記載の見本プリント作成方法。
【請求項７】
前記画像入力工程では、デジタル化された写真を記録した記録媒体から画像データとして入力することを特徴とする請求項５又は６記載の見本プリント作成方法。
【請求項８】
前記画像入力工程では、写真フィルムをスキャナで読み込むことにより写真をデジタル化した画像データを入力することを特徴とする請求項５又は６記載の見本プリント作成方法。
【発明の詳細な説明】
【０００１】
【発明の属する技術分野】
本発明は見本プリント作成システム及び見本プリント作成方法に関し、詳しくは縦撮り及び横撮りが混合する写真に基づいて見本プリントを作成する見本プリント作成システム及び見本プリント作成方法に関する。
【０００２】
【従来技術】
写真スタジオでは、学校や企業などの団体における行事の様子を撮影して、撮影した写真に基づいて注文用の写真見本である見本プリントを作成して注文を受けていた。
【０００３】
従来の見本プリントを図５に基づいて説明すると、同図において、１００は見本プリントであり、撮影した所定数の写真１０１ａ、１０１ｂ、…のそれぞれに番号１０２ａ、１０２ｂ、…を付すと共に１枚にまとめてプリントすることによって見本プリント１００として得られた。
【０００４】
例えば学校における場合は、生徒が、かかる見本プリント１００を見て、自分が欲しい写真が例えば１０１ａであることを確認する。生徒は、見本プリントで確認しながら例えば写真１０１ａが欲しい場合は、番号１０２ａを指定して注文する。写真スタジオは、各生徒からの注文の番号に基づいて生徒毎に注文された写真を特定し、特定された写真のプリントを行う。プリントした写真は、生徒毎に振り分けられ配布される。
【０００５】
このような見本プリント１００は、縦撮り又は横撮りに関係なく、全て横撮り方向で整列、即ち縦撮りの写真１０１ｂも横撮りの写真１０１ａと同方向に配列させて見本プリントが作成される。これは、枠取りの関係から、同じ見本プリントの面積の中に、できるだけ多くの写真をなるべく大きくプリントすることができるからである。この為、注文者が見本プリントを見る際、横位置でプリントされた縦撮りシーンのプリントのは見難く、場合によっては見落としてしまい、注文忘れをしてしまう問題があった。
【０００６】
【発明が解決しようとする課題】
そこで本発明の課題は、縦撮り及び横撮りが混合する写真に基づいて見本プリントを作成する見本プリント作成システムにおいて、最大限の枚数を最大限の大きさでプリントしつつ、注文者に見易くすることによって注文忘れを防止することができる見本プリント作成システム及び見本プリント作成方法を提供することにある。
【０００７】
【課題を解決するための手段】
上記課題は、以下の各発明によって解決される。
【０００８】
（請求項１）撮影した写真の画像データを入力する画像データ入力手段と、
前記画像データ入力手段で入力した画像データを縦撮り画像と横撮り画像のいずれかに振り分ける振分手段と、
前記振分手段によって振り分けられた画像データに基づいて見本プリントを作成する見本プリント作成手段とを有し、
前記見本プリント作成手段は、縦撮り画像の見本プリントと横撮り画像の見本プリントとを作成することを特徴とする見本プリント作成システム。
【０００９】
（請求項２）前記撮影した写真の天地を示す天地情報を入力する天地情報入力手段を有し、前記振分手段は、該天地情報入力手段によって入力された天地情報に基づいて画像データの縦撮り画像と横撮り画像との振り分けを行うことを特徴とする請求項１記載の見本プリント作成システム。
【００１０】
（請求項３）前記画像データ入力手段は、デジタル化された写真を記録した記録媒体から画像データとして入力することを特徴とする請求項１又は２記載の見本プリント作成システム。
【００１１】
（請求項４）前記画像データ入力手段は、写真フィルムをスキャナで読み込むことにより写真をデジタル化した画像データを入力することを特徴とする請求項１又は２記載の見本プリント作成システム。
【００１２】
（請求項５）撮影した写真の画像データを入力する画像データ入力工程と、
前記画像データ入力工程で入力した画像データを縦撮り画像と横撮り画像のいずれかに振り分ける振分工程と、
前記振分工程において振り分けられた画像データに基づいて見本プリントを作成する見本プリント作成工程とを有し、
前記見本プリント作成工程では、縦撮り画像の見本プリントと横撮り画像の見本プリントとを作成することを特徴とする見本プリント作成方法。
【００１３】
（請求項６）前記撮影した写真の天地を示す天地情報を入力する天地情報入力工程を有し、前記振分工程では、該天地情報入力工程において入力された天地情報に基づいて画像データの縦撮り画像と横撮り画像との振り分けを行うことを特徴とする請求項５記載の見本プリント作成方法。
【００１４】
（請求項７）前記画像入力工程では、デジタル化された写真を記録した記録媒体から画像データとして入力することを特徴とする請求項５又は６記載の見本プリント作成方法。
【００１５】
（請求項８）前記画像入力工程では、写真フィルムをスキャナで読み込むことにより写真をデジタル化した画像データを入力することを特徴とする請求項５又は６記載の見本プリント作成方法。
【００１６】
【発明の実施の形態】
以下、本発明の実施の形態について説明する。
【００１７】
図１は本発明の見本プリント作成方法を実施する見本プリント作成システムを説明するための機能ブロック図である。
【００１８】
図１において、１は画像入力工程を実施する画像データ入力手段であり、２は振分工程を実施する振分手段であり、３は見本プリント作成工程を実施する見本プリント作成手段である。尚、４は好ましく設けられる天地情報入力工程を実施する天地情報入力手段である。
【００１９】
画像データ入力手段１は、撮影した写真の画像データを入力するための装置である。
【００２０】
画像データ入力手段１は、デジタル化された写真を記録した記録媒体から画像データとして入力してもいいし、写真フィルムをスキャナで読み込むことにより写真をデジタル化した画像データを入力してもよい。画像データ入力手段１としては、例えば、ＣＤ−ＲＯＭドライブ、通信モジュール等のデジタル画像データを外部から入力する装置や、スキャナ装置等のアナログ画像を読み取ることによってデジタル化した画像データを入力する装置を用いることができる。
【００２１】
振分手段２は、前記画像データ入力手段１で入力した画像データを縦撮り画像と横撮り画像のいずれかに振り分ける。振分手段２での振り分けは、画像データと共に予め天地情報が入力されている場合は、該天地情報に基づいて縦撮り画像と横撮り画像に振り分けることができる。また、画像判断ソフト等を介在させて、自動的に画像の天地を判断して生成した天地情報や後述する天地情報入力手段４によって入力された天地情報に基づいて縦撮り画像と横撮り画像に振り分けることもできる。
【００２２】
見本プリント作成手段３は、前記振分手段２によって振り分けられた画像データに基づいて見本プリントを作成する。予め決定された１枚の見本プリントにプリント可能な個数の画像データを取りまとめて、縦撮り又は横撮りの画像データがそれぞれ見本プリント１枚のデータとして見本プリントデータが作成される。作成された見本プリントデータに基づいてプリントして見本プリントを作成する。
【００２３】
図２は本発明にかかる横撮り画像の見本プリントの一例を示す図であり、図３は本発明にかかる縦撮り画像の見本プリントの一例を示す図である。
【００２４】
横撮り画像の見本プリント１０は、見本プリント作成手段３により、８つの横撮り画像の画像データを取りまとめて１枚の見本プリントデータが作成されて、該見本プリントデータに基づいてプリントされることによって得られる。縦撮り画像の見本プリント２０は、見本プリント作成手段３により、９つの縦撮り画像の画像データを同様に取りまとめて１枚の見本プリントデータが作成されて、該見本プリントデータに基づいてプリントされることによって得られる。
【００２５】
天地情報入力手段４は、撮影した写真の天地を示す天地情報を入力するための装置である。
【００２６】
図４は、天地情報入力手段４における入力を確認するための表示の一例を示す図である。図４において、４０は天地情報入力画面であり、上部に撮影した写真の画像データに基づいて画像４１ａ、４１ｂ、４１ｃ、４１ｄが表示されている。その画像４１ａ、４１ｂ、４１ｃ、４１ｄの下部に天地情報を入力する対象となる入力画像４１ｅが表示されている。入力画像４１ｅの上下左右には天地情報入力タグ４２ａ、４２ｂ、４２ｃ、４２ｄが表示されており、天地情報の入力ができるようになっている。例えば、図４に示す例では、タグ４２ｂを選択することにより、「左」が「天」であるとの天地情報を入力することができる。また、４３は次画像ボタンであり、４４は前画像ボタンである。次画像タグ４３を選択すると、入力画像４１ｅが次の画像に切り替わり、次の画像について天地情報の入力ができる。また、前画像タグ４４を選択すると、入力画像４１ｅが前の画像に切り替わり、前の画像の天地情報の入力ができる。また、画像がブレていたりしてプリントする必要がない場合は、ＮＧタグ４５を選択することによって、見本プリントにはプリントされないようにすることができる。
【００２７】
かかる天地情報入力手段４を設けて天地情報を入力するようにすると、前記振分手段２は、該天地情報入力手段４によって入力された天地情報に基づいて画像データの縦撮り画像と横撮り画像との振り分けを行うことができる。
【００２８】
【発明の効果】
本発明によれば、縦撮り及び横撮りが混合する写真に基づいて見本プリントを作成する見本プリント作成システムにおいて、最大限の枚数を最大限の大きさでプリントしつつ、注文者に見易くすることによって注文忘れを防止することができる見本プリント作成システム及び見本プリント作成方法を提供することができる。
【図面の簡単な説明】
【図１】本発明の見本プリント作成方法を実施する見本プリント作成システムを説明するための機能ブロック図
【図２】本発明にかかる横撮り画像の見本プリントの一例を示す図
【図３】本発明にかかる縦撮り画像の見本プリントの一例を示す図
【図４】天地情報入力手段における入力を確認するための表示の一例を示す図
【図５】従来の見本プリントを示す図
【符号の説明】
１：画像データ入力手段
２：振分手段
３：見本プリント作成手段
４：天地情報入力手段
１０：見本プリント
２０：見本プリント
４０：天地情報入力画面
４２ａ、４２ｂ、４２ｃ、４２ｄ：天地情報入力タグ
４１ｅ：入力画像
４３：次画像ボタン
４４：前画像ボタン
４５：ＮＧタグ
【図１】
2004357256.tif 000003
【図２】
2004357256.tif 000004
【図３】
2004357256.tif 000005
【図４】
2004357256.tif 000006
【図５】
2004357256.tif 000007